(57)【要約】    【課題】  ４辺を構成する互いに独立な４枚の側板と底板部とを組合わせて成るパネル搬送ボックスにおいて、とくに蓋体の閉じた状態での保持の構造を改善し、梱包作業の簡便化を図る。    【解決手段】  ２枚の長辺側側板２０と２枚の短辺側側板３０と底板部４０とを組合わせて上部が開口された直方体状をなす箱体を形成し、短辺側側板３０の案内溝３６によって両側端を案内された状態でガラス基板１０を内部に収納し、蓋体５０を上部から装着する。そして上からバンド１００を取付け、このバンド１００の両端のハンドル１０２の爪１０７を長辺側側板２０の段部から成る係止部２７に係止  し、ゴムベルト１０１の弾性復元力によって爪１０７を係止部２７に弾性的に係止する。    【選択図】      図４
2006206124.tif 000002
【特許請求の範囲】
【請求項１】
４辺を構成する互いに独立な４枚の側板と、底板部とを組合わせて上部が開口した箱体とし、内部に複数枚のパネルを互いに所定の間隔を隔てて配列して収納するようになし、
上部の開口を蓋体によって閉じるとともに、該蓋体の上からバンドを掛け、前記バンドの端部に取付けられたハンドルの爪を側板の被係止部に係止することを特徴とするパネル搬送ボックス。
【請求項２】
４枚の側板の下端が底板部の周縁部に係合して組合わされるとともに、４枚の側板の外側に横方向に延びる結束バンドが掛渡され、該結束バンドによって４枚の側板が互いに組合わされることを特徴とする請求項１に記載のパネル搬送ボックス。
【請求項３】
前記バンドの長さ方向の一部が伸縮自在なゴムベルトから構成され、該ゴムベルトが伸長されてその弾性復元力によって前記ハンドルの爪が前記被係止部に弾性的に係止されることを特徴とする請求項１に記載のパネル搬送ボックス。
【請求項４】
前記バンドが組紐から構成されることを特徴とする請求項１に記載のパネル搬送ボックス。
【請求項５】
前記バンドにその長さを調整する長さ調整機構が設けられていることを特徴とする請求項１に記載のパネル搬送ボックス。
【発明の詳細な説明】
【技術分野】
【０００１】
本発明はパネル搬送ボックスに係り、とくに複数枚のパネルを互いに所定の間隔を隔てて配列して収納するパネル搬送ボックスに関する。
【背景技術】
【０００２】
液晶表示パネルやプラズマディスプレイパネル等の平板型の表示装置が供給されるようになった。そこで液晶表示パネルやプラズマディスプレイパネル等を製造するために、素板ガラスや液晶表示用ガラス基板、あるいはプラズマディスプレイ用ガラス基板、あるいはカラーフィルタ等の各種のガラス基板が用いられる。さらにはこのようなガラス基板を用いて完成したパネルを搬送する必要がある。
【０００３】
そこで特許第２５５２６２５号公報によって、ガラス基板搬送用ボックスが提案されている。このガラス基板搬送用ボックスは、有底の本体部、蓋体、あるいは無底の本体部、蓋体、および底体で構成されたボックスであって、これらの部材のそれぞれは発泡倍率が４〜２５倍のポリオレフィン系樹脂発泡体から成る単一発泡成形体から構成され、これらの部材は何れも内外両面の表面が壁内部よりも緻密なスキン構造に形成され、かつ本体部内面の相対向する一対の面がガラス基板支持用の溝に形成されている。このようなガラス基板搬送用ボックスによって、ガラスメーカ、カラーフィルタメーカ、デバイスメーカ相互間におけるガラス基板や完成パネルの搬送が行なわれる。
【０００４】
また特開２００１−２１９９７２号公報には、発泡倍率が少なくとも５倍以上で、圧縮強度が１．０８ＭＰａ以下のポリエチレンあるいはポリプロピレンのビーズ発砲体から成り、ガラス基板の角部の保護用緩衝材であって、断面がほぼＬ字形で、該Ｌ字に沿って内側に深さが２〜１０ｍｍで開口部が広がった複数の基板挿入溝を複数本設け、外側にはゴム、テープ等の固定具案内溝を設け、４個一組で複数のガラス基板を同時に梱包する緩衝材としたガラス基板用包装体が開示されている。
【０００５】
特許第２５５２６２５号のガラス基板搬送用ボックスは、樹脂発泡体から構成されているために比較的軽量であるが、かさばる欠点がある。すなわち上述のような搬送用ボックスは使捨て式ではなく、繰返して使用するようになっている。ここで有底の本体部の場合には上部が開口した箱体の形状をなし、あるいはまた底部と分離された本体部の場合には筒体をなしている。従ってこのような本体部を有する搬送用ボックスを返送する際に、内部が空の状態で運ばなければならず、運送効率が極めて悪い。とくに国内と海外との間でガラス基板等のパネルを搬送する場合には、空の搬送用ボックスを国内と外国とで逆方向に輸送しなければならない問題がある。
【０００６】
これに対して特開２００１−２１９９７２号公報に開示されているガラス基板用の包装体は、案内溝に掛渡されたゴムまたはテープを外すことによって、４つの部材に分解することができるものの、ガラス基板の周縁部を保持する部分が断面Ｌ字状の発泡成形体から構成されており、このために所定の面積と高さを有する。従って特許第２５５２６２５号のガラス基板搬送用ボックスに比べれば省スペース化は図られるものの、なお依然として運送効率はよくない。またこの包装体は、前端と後端が開放されており、また形状の維持をガラス基板の強度に依存しているために、収納状態におけるガラス基板の保護が必ずしも完全ではない欠点があり、あまり薄いガラス基板を搬送するのには不適当なものである。
【０００７】
本願出願人は、特開２００３−２９２０８７号公報によって、空の状態で搬送する際にスペースを要しないパネル搬送ボックスを提案している。このパネル搬送ボックスは、筒状をなす本体部と、この本体部の底部開口を閉塞する底板と、上部開口を閉じる蓋体とから構成され、しかも筒体を一対の長辺側側板と一対の短辺側側板とから構成し、これらを互いに分離可能に組合わせたものであって、空の状態で戻すときの省スペース化を図るようにしたパネル搬送ボックスである。そしてこのようなパネル搬送ボックスは、組立てた状態で例えば結束バンドによって結束することにより、ボックスとしての形態を維持するようにしている。
【０００８】
このような組立て式の搬送用ボックスにおいて、とくに組立てた後に結束バンドを用いて梱包する方式は、搬送中における搬送ボックスの結束を確実なものにする利点があるものの、梱包の際にバンドの結束機を必要とする。また一旦結束バンドによる梱包を解除した場合には、再度梱包するのが非常に面倒になる。とくに蓋の部分のみを開放し、一部のガラス基板を取出した後に再び蓋を閉じる場合に、再び結束バンドによる結束を行なうと、蓋体の固定保持のための操作が非常に面倒になる。従って工程間でのガラス基板の搬送の効率性を妨げる原因になる。
【特許文献１】特許第２５５２６２号公報
【特許文献２】特開２００１−２１９９７２号公報
【特許文献３】特開２００３−２９２０８７号公報
【発明の開示】
【発明が解決しようとする課題】
【０００９】
本願発明の課題は、複数枚のパネルを互いに所定の間隔を隔てて配列するようにしたパネル搬送ボックスにおいて、蓋体を閉じて梱包する操作を容易にするようにしたパネル搬送ボックスを提供することである。
【００１０】
本願発明の別の課題は、梱包の作業性を改善するようにしたパネル搬送ボックスを提供することである。
【００１１】
本願発明のさらに別の課題は、工程間においてパネルを搬送する際に、蓋体の着脱を容易にするようにしたパネル搬送ボックスを提供することである。
【００１２】
本願発明のさらに別の課題は、上部開口を閉塞して内部に収納されたパネルを押さえる蓋体を確実に閉止状態で保持するようにしたパネル搬送ボックスを提供することである。
【００１３】
本願発明の上記の課題および別の課題は、以下に述べる本願発明の技術的思想および実施の形態によって明らかにされよう。
【課題を解決するための手段】
【００１４】
本願の主要な発明は、４辺を構成する互いに独立な４枚の側板と、底板部とを組合わせて上部が開口した箱体とし、内部に複数枚のパネルを互いに所定の間隔を隔てて配列して収納するようになし、
上部の開口を蓋体によって閉じるとともに、該蓋体の上からバンドを掛け、前記バンドの端部に取付けられたハンドルの爪を側板の被係止部に係止することを特徴とするパネル搬送ボックスに関するものである。
【００１５】
ここで、４枚の側板の下端が底板部の周縁部に係合して組合わされるとともに、４枚の側板の外側に横方向に延びる結束バンドが掛渡され、該結束バンドによって４枚の側板が互いに組合わされてよい。また前記バンドの長さ方向の一部が伸縮自在なゴムベルトから構成され、該ゴムベルトが伸長されてその弾性復元力によって前記ハンドルの爪が前記被係止部に弾性的に係止されてよい。また前記バンドが組紐から構成されてよい。また前記バンドにその長さを調整する長さ調整機構が設けられてよい。
【発明の効果】
【００１６】
本願の主要な発明は、４辺を構成する互いに独立な４枚の側板と、底板部とを組合わせて上部が開口した箱体とし、内部に複数枚のパネルを互いに所定の間隔を隔てて配列して収納するようになし、上部の開口を蓋体によって閉じるとともに、該蓋体の上からバンドを掛け、バンドの端部に取付けられたハンドルの爪を側板の被係止部に係止するようにしたものである。
【００１７】
従ってこのようなパネル搬送ボックスによれば、上部の開口を蓋体によって閉じた後に、この蓋体の上からバンドを掛け、バンドの端部に取付けられたハンドルの爪を側板の被係止部に係止することによって、蓋体が閉じられた状態で保持されるようになる。従って梱包作業が非常に容易になる。また上記ハンドルの爪を側板の被係止部から離脱させることによって、バンドを取外し、蓋体を開くことができる。従って蓋体の開閉操作の際におけるバンドの取外しが容易になるとともに、再び蓋体を閉じた後に、上記バンドによって再び蓋体を固定することができ、蓋体の開閉操作に伴なうこの蓋体の固定動作も非常に容易になり、作業性が改善されることになる。
【発明を実施するための最良の形態】
【００１８】
図１〜図５は本発明の第１の実施の形態に係るパネル搬送ボックスの全体の構成を示しており、ここでは複数枚のガラス基板１０をを互いに所定の間隔を隔てて配列して収納するようになっている。なおこのようなガラス基板は、例えば液晶表示パネルのカラーフィルタのガラス基板であってよい。
【００１９】
このような複数枚のガラス基板１０を収納保持するパネル搬送ボックスは、何れもポリプロピレンの発泡成形体製の本体部１１と、底板部４０と、蓋体５０とから構成される。そして底板部４０の上側および蓋体５０の下側であって内側にはそれぞれ受けパッド１５、１６が配され、これらの受けパッド１５、１６によってガラス基板１０の上下のエッジを受けるようになっている。
【００２０】
このようなパネル搬送ボックスの大きな特徴は、とくに蓋体５０と底板部４０との間に配される本体部１１が４枚の側板２０、３０から構成されることである。すなわち本体部１１の４辺は互いに対向する２枚の長辺側側板２０と互いに対向する２枚の短辺側側板３０とを組合わせて形成される。そしてとくに短辺側側板３０の内表面には互いに対向するように案内溝３６が形成され、これらの案内溝３６によって中に収納されるガラス基板１０の側端を受入れて案内するようになっている。
【００２１】
次に上記本体部１１を構成する２枚の長辺側側板２０の構成について、図６〜図８を参照して説明する。これらの長辺側側板２０はその上端に突条２１を備えるとともに、下端側には段部２２の下側の垂直面に条溝２３を備えている。また長辺側側板２０の内側であってその両端側の部分にはそれぞれ縦溝から成る係合溝２４を備えている。しかも係合溝２４には図６Ｂに示すように、この係合溝２４を間欠的に遮断するように突部３７が形成されている。
【００２２】
さらに長辺側側板２０はその外表面に横方向に延びる３本のバンド溝２５と縦方向の２本のバンド溝２６とを備えている。またとくに図７Ｃに示すように、長辺側側板２０の外側面上には段部から成る係止部２７が形成され、この係止部２７の部分に後述するバンド１００の端部のハンドル１０２の爪１０７を引掛け、ハンドル１０２を係止するようにしている。
【００２３】
次に短辺側側板３０の構成について図９〜図１１を参照して説明する。短辺側側板３０はその上部に突条３１を備えるとともに、下側の部分には内側に突出するように突条３２が形成されている。また横方向の溝から成る３本のバンド溝３３がこの短辺側側板３０の外表面上に形成されている。またこの短辺側側板３０の内表面には縦方向に延びる複数の案内溝３６が形成され、これらの案内溝３６によって内側に収納されるガラス基板１０を受入れて案内するようになっている。また短辺側側板３０はその両側端にそれぞれ係合用突起３８が形成されている。これらの突起３８は長辺側側板２０の両側端の係合溝２４に受入れられる。また上記係合用突起３８は間欠的に切欠かれて切欠き３９が形成されている。これらの切欠き３９は上記長辺側側板２０の係合溝２４に間欠的に形成される突部３７と係合されるようになっている。
【００２４】
次に底板部４０の構造について図１２〜図１４を参照して説明する。底板部４０はその内側の主面に凹部４１が形成されるとともに、外周囲の長辺側の側壁の外表面上には側方に突出するように突条４２が形成されている。また底板部４０の側壁の内の短辺側の部分の外表面には、その根元側の部分に係合溝４３が形成されている。また底板部４０にはその底面に幅の狭いバンド溝４４と幅の広いバンド溝４５とが互いに直交するように形成されている。
【００２５】
次に蓋体５０について図１５〜図１７によって説明する。蓋体５０はその内側であって天板部の下側の部分に３つの凹部５１が形成されている。また蓋体５０の周壁部の内側であってその下端側の部分には、長辺側段部５２および短辺側段部５３が形成されている。また長辺側の段部５２に対して所定の間隔を隔てて下方に突出するストッパ５４が長辺のほぼ中央部に形成されている。またこの蓋体５０の上面には凹部５５が形成されるとともに、この凹部５５の両側の部分に一対の狭いバンド溝５６が形成され、これに対して上記バンド溝５６と直交するように２本の広いバンド溝５７が形成されている。
【００２６】
上記底板部４０の凹部４１には図１８および図１９に示す受けパッド１５が装着される。この受けパッド１５はその上面に案内溝６１を備えている。これらの案内溝６１によってガラス基板１０を互いに所定の間隔を隔てた状態で安定に保持するようになっている。
【００２７】
また上記蓋体５０の内表面であって凹部５１にはそれぞれ受けパッド１６が保持される。受けパッド１６は図２０および図２１に示すようにその外表面上に案内溝６２を備え、これらの案内溝６２によってガラス基板１０を安定的に保持するようにしている。しかも蓋体５０側の受けパッド１６としてその厚さ方向の寸法の異なるものを用意し、この受けパッド１６を交換することによってガラス基板１０の高さ方向の寸法の差異を吸収するようにしており、これによって複数種類のガラス基板１０の収納を可能にしている。
【００２８】
次に蓋体５０を押さえるためのバンド１００について説明する。図２２に示すようにバンド１００は、自動車のシートベルトと同様のベルト状をなす組紐から形成されており、帯状をなしている。しかもその中間部分が切断され、この中間部分にゴムベルト１０１が接続され、このゴムベルト１０１によってバンド１００を伸縮自在にしている。またバンド１００の両端はそれぞれ折返されるとともに、折返し部分がハンドル１０２の挿通孔１０３に挿通されている。そしてバンド１００の両端の折返し部分がバックル１０４に係止されるとともに、このバックル１０４がバンド１００の長さ方向に沿って移動自在に係合されている。従ってバックル１０４の位置を移動させることによって、バンド１００の長さを調整できるようになる。
【００２９】
図２３〜図２５は、上記バンド１００の両端に連結されているバックル１０２を示している。バックル１０２は例えば帯電防止の対策を施したＡＢＳ樹脂から構成され、バンド１００の端部を受入れる挿通孔１０３の他に、このハンドル１０２を操作するための矩形の開口１０５が形成され、さらに両側には指を掛ける円弧状の凹部１０６が形成されている。またその主部には内側部に沿って斜めに突出した爪１０７が形成され、この爪１０７が上述の長辺側側板２０の係止部２７に係止されるようになっている。
【００３０】
次に以上のような構成になるパネル搬送ボックスの組立てについて図１〜図５により説明する。一対の短辺側側板３０を互いに対向するように配するとともに、これらの短辺側側板３０の下端側の突条３２を底板部４０の下端側の係合溝４３に係合させた状態で底板部４０に対して直立して配置する。そしてこの後長辺側側板２０を組合わせる。すなわち長辺側側板２０の下端側の段部２２に形成される条溝２３の部分に底板部４０の周壁部に形成されている突条４２を受入れ、さらにこの長辺側側板２０の両側の縦溝２４に短辺側側板３０の両側端の突部３８を受入れて長辺側側板２０を短辺側側板３０と組合わせる。これによって２枚の短辺側側板３０と２枚の長辺側側板２０とが組合わされて本体部１１が組立てられるとともに、上方が開放された箱体が組立てられる。
【００３１】
このように長辺側側板２０と短辺側側板３０とによって本体部１１を組立てる際に、上述の如く短辺側側板３０の両側端にそれぞれ形成されている係合用突部３８を長辺側側板２０の内表面であってその両側端の係合溝２４に係合させる。同時にこのときに短辺側側板３０側の切欠き３９が長辺側側板２０の係合溝２４を遮断するように形成されている突部３７を受入れるようになり、これによって長辺側側板２０と短辺側側板３０とがそれらの交差する位置で互いにかんぬき状に結合されることになる。このような結合構造によって、とくに長辺側側板２０と短辺側側板３０とによって構成される４枚の側板部が上から見たときに、平行４辺形に変形するのが防止され、収納部を構成する本体部１１の組立てた状態での剛性が大幅に改善される。
【００３２】
次にこのような箱体を結束バンド６５によって結束する。すなわち長辺側側板２０の横方向に延びる３本のバンド溝２５および短辺側側板３０の外表面に形成される横方向の３本のバンド溝３３のところにポリプロピレン樹脂製の結束バンド６５を掛渡して結束する。これによって２枚の長辺側側板２０と２枚の短辺側側板３０とから成る本体部１１が直方体状に組立てられる。
【００３３】
そしてこのような箱体の内部にガラス基板１０を配列する。このときに予め底板部４０の凹部４１に受けパッド１５を取付けておく。この状態で図１に示すように上部が開放された箱体の内部にガラス基板１０を所定の枚数配列する。このときにガラス基板１０はその下端部が受けパッド１５の案内溝６１によって案内され、左右の両側のエッジの部分が短辺側側板３０の案内溝３６によって保持される。
【００３４】
所定の枚数のガラス基板１０を収納したならば、この状態で蓋体５０を上から装着する。すると長辺側側板２０の上端の突条２１および短辺側側板３０の上端の突条３１が蓋体５０の周壁の内側の段部５２、５３にそれぞれ係合する。またこのときに蓋体５０のストッパ５４が長辺側側板２０の長さ方向の中間部分を内側から押え、長辺側側板２０が内側に変形するのを防止する。このときに蓋体５０の天板の下面であって凹部５１の部分に３つの受けパッド１６を取付けておく。するとこれらの受けパッド１６の案内溝６２がガラス基板１０の上端部のエッジを安定的に受入れる。従ってガラス基板１０は上面、両側面、および下面がともに案内溝６２、３６、および６１によって案内された状態でこのパネル搬送ボックス内で互いに所定の間隔を隔てて配列した状態で収納される。
【００３５】
この後に図１〜図４に示すように、上記蓋体５０の上部にバンド１００を掛けるようにし、このバンド１００によって蓋体５０を押さえる。すなわちバックル１０４によって予め長さを調整したバンド１００を蓋体１０上に掛け、その両側のハンドル１０２を矩形の開口１０５の部分で下方へ引っ張りながら、ハンドル１０２の内側の爪１０７（図２５参照）を長辺側側板２０の外表面上の段部から成る係止部２７に引掛ける（図３、図４参照）。このときにバンド１００の長さを適正に調整し、ゴムベルト１０１が若干延びるようにしておくと、爪１０７が長辺側側板２０の係止部２７に弾性的に係止されるようになる。
【００３６】
このように蓋体５０を上からバンド１００によって押さえるようにした構造によると、ハンドル１０２を下方に引張ることによってその爪１０７を長辺側側板２０の係止部１０７から離脱させ、これによってバンド１００による蓋体５０の固定を解除することができる。従って蓋体５０を開けたり閉じたりする場合にも、その開梱および梱包にバンド１００がフレキシブルに対応することが可能になる。またこのような構成によると、最後に蓋体５０を閉じるときの梱包動作が容易になる。また工程の途中で蓋体５０を開閉する必要がある場合にも、その要求に簡便に対応できるようになる。
【００３７】
なお収納されたガラス基板１０を遠方へ輸送する場合や、倉庫に長期間保管しておく場合には、このようなバンド１００を用いる代わりに、蓋体５０のバンド溝５６、および底板４０のバンド溝４４にポリプロピレン樹脂製の幅が狭い結束バンドを掛渡して結束する。さらに底板４０のバンド溝４５、および蓋体５０のバンド溝５７にポリプロピレン樹脂製の幅が広い結束バンドを掛渡して結束しておくことが好ましい。そしてこのような幅の狭い結束バンドと幅の広い結束バンドとを切断して開梱した後に再び蓋体５０を閉じる際に、上記のバンド１００を用いて蓋体５０を押さえるようにしてよい。
【００３８】
次にこのような搬送ボックスの短辺側側板３０の外側面に取付けられるＩＣタグ７７について説明する。ＩＣタグ７７は図２６に示すように半導体メモリ７８と、メモリ駆動回路７９と、送受信回路８０とを備えるＩＣチップを導体パターンから成るアンテナ８１とともに所定の形状、例えば矩形あるいは円盤状をなすプラスチック成形体内にモールドしたものである。そしてこのようなＩＣタグ７７は外部のリーダ／ライタ８２のアンテナ８３との間で至近距離での電波の授受を行ない、これによってＩＣタグ７７の半導体メモリ７８内に各種の情報を書込むことを可能にしている。
【００３９】
ここでＩＣタグ７７にはこの搬送ボックスによって搬送されるガラス基板１０の種類やロットあるいは加工状況に関する情報が書込まれる。なおガラス基板１０についてのさらに別の情報を書込むことも可能である。またこのケースに関する情報をも同時にＩＣタグ７７のメモリ７８に書込むようにしている。
【００４０】
しかもＩＣタグ７７に対する情報の書込みは外部からリーダ／ライタ８２によって任意に消去可能であって、別の情報を再び書込むことができる。従ってこの搬送ボックスの短辺側側板３０からＩＣタグ７７を取外した後に繰返して使用することができる。なお通常リーダ／ライタ８２はコンピュータ８４と接続され、コンピュータ８４を通して情報の書込みあるいは読出しを行なうようにしている。
【００４１】
従ってこのような搬送ボックスによれば、非接触でこの搬送ボックス内のガラス基板１０等の内容物の判別を行なうことが可能であって、ガラス基板１０が現在どの工程まで加工されたかを容易に知ることができる。あるいはまたこの搬送ボックスの使用回数や洗滌に関する情報をも確実に知ることができ、これによって内部に収納されたガラス基板の保護をより確実に図ることができる。
【００４２】
次に第２の実施の形態を図２７〜図３６によって説明する。この実施の形態はバンド溝５７、４５に掛渡される幅の広い結束バンドを用いて持上げて吊下げるのに代えて、フォークリフトの爪によって持上げるようにしたものである。
【００４３】
本体部１１を構成する長辺側側板２０および短辺側側板３０の構成は上記第１の実施の形態と同様である。これに対して底板部４０は図３１〜図３３に示すように、その下面に中央の脚部７１と、左右の脚部７２とを備え、これらの脚部７１、７２間に形成される凹部７３にフォークリフトの爪を挿入して持上げるようになっている。なお底板部４０の上記凹部７３を横切るようにバンド溝４５が形成されている。
【００４４】
またこの実施の形態の搬送ボックスの蓋体５０は図３４〜図３６に示すように、その上面がほぼ偏平であって短辺側のほぼ中央部から中心側に向けてカッタ導入溝５８が両側に形成されている（図３４参照）。なおそれ以外の構成は上記第１の実施の形態の蓋体５０とほぼ同様である。
【００４５】
このような実施の形態において、底板部４０上にまず短辺側側板３０を組立て、この短辺側側板３０の下側の突条３２を係合溝４３と係合させる。そしてこの後に長辺側側板２０を底板部４０上において上記短辺側側板３０と組合わせ、この長辺側側板２０の内側に形成されている条溝２３に底板部４０の突条４２を組合わせる。さらに長辺側側板２０の両側の縦溝２４に短辺側側板３０の両端の突部３８を受入れて係合させる。このような状態において、長辺側側板２０と短辺側側板３０の外周側に３本の結束バンド６５を掛渡し、これらの結束バンド６５をバンド溝２５、３３によって保持して結束する。
【００４６】
このような状態でその内部にガラス基板１０を配列して収納する。するとガラス基板１０の下端側の部分が底板部４０の凹部４１に保持されている下側の受けパッド１５の案内溝６１によって受けられるとともに、ガラス基板１０の側端部が短辺側側板３０の案内溝３６によって安定的に保持される。
【００４７】
従ってこのような状態において内側の凹部５１に３つの受けパッド１６を保持した蓋体５０を上部開口に被せてこの搬送ボックスを閉じる。この後に蓋体５０の上部にバンド１００を掛渡す。すなわち長さを予めバックル１０４によって調整されたバンド１００を蓋体５０の上に装着し、両端のハンドル１０２の爪１０７を長辺側側板２０の段部から成る係止部２７に係止させる。これによって蓋体５０は閉じた状態で保持される。このような搬送ボックスは、底板部４０の脚部７１、７２間の凹部７３の部分にフォークリフトの爪を差込んで持上げることが可能になる。
【００４８】
このようなフォークリフトによって持上げる方式の搬送ボックスは、バンド溝４５、５７に掛渡される広い結束バンドによって吊下げる方式ではないために、蓋体５０および本体部１１には大きな力が作用しない。これに対してフォークリフトの爪で直接持上げられる底板部４０が大きな力を受ける。
【００４９】
そこでこの実施の形態の搬送ボックスは、蓋体５０と本体部１１の短辺側側板３０とをともに発泡倍率を１３．５の値にしてその強度を低くするとともに、材料の使用量を節約している。なお本体部１１の長辺側側板２０は発泡倍率を３５の値にしている。これに対してフォークリフトの爪で直接持上げられる底板部４０はその発泡倍率を８．０の値にし、高い強度にすることによって、大きな力に耐えるようにしている。従って力がかかる部分のみを発泡倍率を低くして重い力に耐えることが可能になる。
【００５０】
またこの実施の形態においても、とくに蓋体５０の下面の凹部５１に装着される蓋体側の受けパッド１６の高さ方向の寸法を変更し、これによって中に収納されるガラス基板５０の高さ方向の寸法の差異を吸収するようにしており、複数種類の寸法のガラス基板１０の収納を可能にしている。
【００５１】
またこの実施の形態の搬送ボックスも、例えばその短辺側側板３０の外表面上にＩＣタグ７７を取付け、このＩＣタグ７７によって搬送ボックス内のガラス基板の判別が行なわれる。またこのガラス基板が現在どの工程まで加工されたかを容易に知ることができる。あるいはまたこの搬送ボックスの使用回数や洗滌に関する情報をも確実に知ることができ、これによって内部に収納されたガラス基板１０の保護をより確実に図ることができる。
【００５２】
次に別の実施の形態を図３７および図３８によって説明する。この実施の形態は図３７に示すように、長辺側側板２０の上縁であって開口縁部にアルミニウム製の枠体９０を取付けたものである。長辺側側板２０は短辺側側板３０に比べてその長さが長いために、とくに内側への拘束が実質的に存在しないために中間部分が内側に弓形に変形する可能性がある。そこでここでは、長辺側側板２０の開口縁部に図３８に示すようなアルミニウム合金の基材から成るチャンネル型の枠体９０を装着し、このような枠体９０によって長辺側側板２０のとくに中間部が内側に変形するのを防止している。
【００５３】
枠体９０の長さは長辺側側板２０のほぼ全長に達する長さであることが好ましい。これによってより確実に長辺側側板２０の上端の変形が防止される。また必要であれば短辺側側板３０の上縁にも枠体９０を装着することができる。これによって本体部を構成する２枚の長辺側側板２０と２枚の短辺側側板３０の上縁であって収納体を構成する本体部１１の開口縁部が変形するのがより確実に防止される。
【００５４】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態は液晶パネルのカラーフィルタのガラス基板の搬送のための搬送ボックスを構成しているが、本願発明に係る搬送ボックスはその他各種のパネルの搬送に広く適用可能である。
【産業上の利用可能性】
【００５５】
本願発明は、液晶表示用ガラス基板やプラズマディスプレイ用ガラス基板の搬送のための搬送ボックスに広く適用可能である。
【図面の簡単な説明】
【００５６】
【図１】第１の実施の形態のパネル搬送ボックスの分解斜視図である。
【図２】同搬送ボックスの平面図である。
【図３】同搬送ボックスの正面図である。
【図４】同搬送ボックスの側面図である。
【図５】同搬送ボックスの底面図である。
【図６】長辺側側板の正面図および背面図である。
【図７】長辺側側板の側面図および縦断面図である。
【図８】長辺側側板の平面図および底面図である。
【図９】短辺側側板の正面図および背面図である。
【図１０】短辺側側板の側面図および縦断面図である。
【図１１】短辺側側板の平面図および底面図である。
【図１２】底板部の平面図である。
【図１３】底板部の底面図である。
【図１４】底板部の正面図および側面図である。
【図１５】蓋体の平面図である。
【図１６】蓋体の底面図である。
【図１７】蓋体の正面図および側面図である。
【図１８】底板側受けパッドの平面図である。
【図１９】同受けパッドの正面図および側面図である。
【図２０】蓋体の受けパッドの底面図である。
【図２１】同受けパッドの正面図および側断面図である。
【図２２】バンドの平面図、底面図、および側面図である。
【図２３】ハンドルの平面図である。
【図２４】ハンドルの底面図および側面図である。
【図２５】ハンドルの側面図および側断面図である。
【図２６】ＩＣタグによる情報の書込みあるいは読出しの動作を行なうためのシステムのブロック図である。
【図２７】第２の実施の形態の搬送ボックスの平面図である。
【図２８】同搬送ボックスの正面図である。
【図２９】同搬送ボックスの側面図である。
【図３０】同搬送ボックスの底面図である。
【図３１】底板部の平面図である。
【図３２】同底板部の底面図である。
【図３３】底板部の正面図および側面図である。
【図３４】蓋体の平面図である。
【図３５】蓋体の底面図である。
【図３６】蓋体の正面図および側面図である。
【図３７】別の実施の形態の搬送用ボックスの一部を破断した側面図である。
【図３８】側板の開口縁部に取付けられる枠体の底面図と断面図である。
【符号の説明】
【００５７】
１０  ガラス基板
１１  本体部（収納体）
１５  受けパッド（底板側）
１６  受けパッド（蓋体側）
２０  長辺側側板
２１  突条（上）
２２  段部
２３  条溝（下）
２４  係合溝（縦溝）
２５  バンド溝（横）
２６  バンド溝（縦）
２７  係止部（段部）
２８  爪
２９  吊下げバンド
３０  短辺側側板
３１  突条（上）
３２  突条（下）
３３  バンド溝（横）
３６  案内溝
３７  突部
３８  係合用突起
３９  切欠き
４０  底板部
４１  凹部
４２  突条
４３  係合溝
４４  バンド溝（狭）
４５  バンド溝（広）
５０  蓋体
５１  凹部
５２、５３  段部
５４  ストッパ
５５  凹部
５６  バンド溝（狭）
５７  バンド溝（広）
５８  カッタ導入溝
６１、６２  案内溝
６５  結束バンド（横）
７１  脚部（中央）
７２  脚部（左右）
７３  凹部
７７  ＩＣタグ
７８  メモリ
７９  メモリ駆動回路
８０  送受信回路
８１  アンテナ
８２  リーダ／ライタ
８３  アンテナ
８４  管理用コンピュータ
９０  枠体
９３  リブ
９５  導入部（入口側）
９６  導入部
１００  バンド
１０１  ゴムベルト
１０２  ハンドル
１０３  挿通孔
１０４  バックル
１０５  矩形の開口
１０６  円弧状の凹部
１０７  爪
【図１】
2006206124.tif 000003
【図２】
2006206124.tif 000004
【図３】
2006206124.tif 000005
【図４】
2006206124.tif 000006
【図５】
2006206124.tif 000007
【図６】
2006206124.tif 000008
【図７】
2006206124.tif 000009
【図８】
2006206124.tif 000010
【図９】
2006206124.tif 000011
【図１０】
2006206124.tif 000012
【図１１】
2006206124.tif 000013
【図１２】
2006206124.tif 000014
【図１３】
2006206124.tif 000015
【図１４】
2006206124.tif 000016
【図１５】
2006206124.tif 000017
【図１６】
2006206124.tif 000018
【図１７】
2006206124.tif 000019
【図１８】
2006206124.tif 000020
【図１９】
2006206124.tif 000021
【図２０】
2006206124.tif 000022
【図２１】
2006206124.tif 000023
【図２２】
2006206124.tif 000024
【図２３】
2006206124.tif 000025
【図２４】
2006206124.tif 000026
【図２５】
2006206124.tif 000027
【図２６】
2006206124.tif 000028
【図２７】
2006206124.tif 000029
【図２８】
2006206124.tif 000030
【図２９】
2006206124.tif 000031
【図３０】
2006206124.tif 000032
【図３１】
2006206124.tif 000033
【図３２】
2006206124.tif 000034
【図３３】
2006206124.tif 000035
【図３４】
2006206124.tif 000036
【図３５】
2006206124.tif 000037
【図３６】
2006206124.tif 000038
【図３７】
2006206124.tif 000039
【図３８】
2006206124.tif 000040